(57)【要約】【課題】ＡＤＦがプラテン面に対して平行且つ接触した状態に正しく取り付けられているか否かを容易に自動検知すると共に、ＡＤＦのプラテン面に対する高さ調整作業を容易にする。【解決手段】ＡＤＦ又は設置基準部の何れか一方の１又は複数の箇所に配置された誘導体１５を、何れかの他方に設け、ＡＤＦが閉じられた時に、例えば光学ユニット６の上の誘導型近接センサ１４の誘導エリアに近接する位置に誘導体１５を設け、ＡＤＦが閉められた状態で誘導型近接センサ１４の誘導量がほぼ等しい誘導量になるか否かにより、ＡＤＦが画像読取装置１の上面（プラテン面）に対して平行且つ接触した状態に正しく取り付けられているかを検知する。【選択図】図４
2016144029.tif 000002
【特許請求の範囲】
【請求項１】
原稿を読み取るライン状の光学ユニットと、前記光学ユニットに原稿を搬送する原稿搬送装置と、前記光学ユニットの原稿読取面に対する前記原稿搬送装置の設置基準部と、を備えた画像読取装置において、
前記原稿搬送装置又は前記設置基準部の何れか一方の所定箇所に配置された磁気に感応する１又は複数の誘導体と、
前記原稿搬送装置又は前記設置基準部の他方に設けられ、前記１又は複数の誘電体の配置箇所に対応する位置に設けられた誘導型近接センサと、を備え、
前記設置基準部に対する前記原稿搬送装置の距離を検知することを特徴とする画像読取装置。
【請求項２】
前記誘電体と前記誘導型近接センサは、前記光学ユニットによる主走査方向における両端の箇所に設けられた、ことを特徴とする請求項１に記載の画像読取装置。
【請求項３】
前記誘電体は前記原稿搬送装置側に設けられ、前記誘導型近接センサは前記設置基準部側に設けられた、ことを特徴とする請求項２に記載の画像読取装置。
【請求項４】
前記誘導型近接センサは、内部にコイルを有し、当該コイルに所定の一又は複数の周波数の信号を印加し、当該印加信号の波形の歪みと信号レベルを検出することにより前記誘導体との前記近接関係を検出する、ことを特徴とする請求項１乃至３の何れかの項に記載の画像読取装置。
【請求項５】
前記誘導体は、磁性材、反磁性材、非磁性材又はこれらの複合材料により構成されていることを特徴とする請求項１乃至３の何れかの項に記載の画像読取装置。
【発明の詳細な説明】
【技術分野】
【０００１】
本発明は、画像読取装置における自動原稿搬送装置（Automated Document Feeder：以下、「ＡＤＦ」という）により搬送される原稿が、原稿読取台（以下、「プラテン」という）における読取面に対して平行且つ接触した状態で搬送されるようにするための技術に関する。
【背景技術】
【０００２】
複写機等を構成する画像読取装置は通常、原稿の読取面を支持するためのプラテンと、前記プラテン上に原稿を一枚ずつ繰り出して搬送するＡＤＦと、プラテン下方の所定位置に配置されて、前記ＡＤＦによって搬送される原稿を光学的に読取るための光学読取装置と、を有する。
【０００３】
プラテン上には、操作者が、（ＡＤＦを用いることなく）原稿を手動で載置して原稿を読取る（固定原稿読取方式）ことを可能にするために、ＡＤＦは画像読取装置の上面のプラテン面に対して開閉自在に取り付けられる。
【０００４】
このような画像読取装置は、プラテン面の原稿載置面の裏面側において固定原稿読取用の第１のプラテン面と平行に往復移動する光学ユニットを備え、ＡＤＦを用いた移動原稿読取方式の場合は、原稿はＡＤＦにより移動原稿読取用の第２のプラテン面を通過するように搬送され、このプラテン下方の読取位置にある光学ユニットによって原稿の画像が読み取られる。
【０００５】
移動原稿読取方式においては、この第２のプラテンにおける画像読取部の間隙が、長手方向（主走査方向）の一方の端部と他方の端部とで異なっていると、原稿が斜向する等の搬送不良が発生してジャムしたり、また、原稿のジャムが生じないまでも当該原稿の読取データにおいて画像の歪みやピントボケ等の読取不良が発生することになる。
【０００６】
このような原稿の搬送不良は、画像読取装置の製造時においてＡＤＦがプラテン面に対して平行且つ接触した状態に取り付けられていなかったり、経年的に長手方向（特に、主走査方向）の一方の端部と他方の端部とでＡＤＦの取付高さが相違してしまうことに起因する。
【０００７】
このようなＡＤＦのプラテン面に対する取付高さの互い違いは、装置の製造時においてもユーザサイトにおける使用時においても生じ得る。そして、ＡＤＦのプラテン面に対する取付け高さの互い違いは、それを検知する作業そのものが煩雑であり時間を有するのである。そして、ＡＤＦのプラテン面に対する取付高さの違いが判明した場合には、ＡＤＦを画像読取装置に開閉自在に取り付けているヒンジ受部に対するヒンジ部材の高さ位置を細かく調整し、ＡＤＦと画像読取部の間隙を調整する作業をさらに必要とする。
【０００８】
このため、従来におけるＡＤＦのプラテン面に対する取付け高さが平行に正しくなっているか否かの検知の例として、ＡＤＦのヒンジ部材の高さ位置を調整する機構を有する画像読取装置において、プラテン側におけるヒンジの受け部の高さ位置を変更調整し、さらに受け部材を介して開閉装置の高さを変更することにより、原稿載置台に対する原稿押さえ部材の傾斜調整を行うようにしていた（例えば、特許文献１を参照）。
【先行技術文献】
【特許文献】
【０００９】
【特許文献１】特開２０１４−０３０１４４号公報
【発明の概要】
【発明が解決しようとする課題】
【００１０】
そして、このようなヒンジ受部の高さ調整作業は、所定の厚さの用紙をＡＤＦとプラテン面の間に挟んだ状態でこの厚紙が抜けないようにする作業を反復調整するものであったため、生産現場やユーザサイトにおけるメンテナンスにおいて作業が煩雑であって時間を要するばかりでなく、作業者による挟まれた用紙を引っ張る強さの違いや作業者の感覚に頼った高さ検知を伴う調整方法であるため、作業者毎の調整が均一でなく、ＡＤＦのプラテン面に対する取付高さが正確に行なわれなかったり、さらには、メンテナンス等の作業者は常時特殊の用紙を携帯しなければならない等の課題があった。
【課題を解決するための手段】
【００１１】
本発明は、従来の上記課題を解決するものであり、原稿を読み取るライン状の光学ユニットと、前記光学ユニットに原稿を搬送する原稿搬送装置と、前記光学ユニットの原稿読取面に対する前記原稿搬送装置の設置基準部と、を備えた画像読取装置において、前記原稿搬送装置又は前記設置基準部の何れか一方の所定箇所に配置された磁気に感応する１又は複数の誘導体と、前記原稿搬送装置又は前記設置基準部の他方に設けられ、前記１又は複数の誘電体の配置箇所に対応する位置に設けられた誘導型近接センサと、を備え、前記設置基準部に対する前記原稿搬送装置の距離を検知することを特徴とする画像読取装置を提供するものである。
【００１２】
これにより、本画像読取装置においては、ＡＤＦが画像読取装置の上面（プラテン面）に対して平行且つ接触した状態に正しく取り付けられているか否かの一切の作業を不要としたのである。
【００１３】
ここで、前記誘電体と前記誘導型近接センサは、前記光学ユニットによる主走査方向における両端の箇所に設けるようにする。さらには、副走査方向における高さが均一になっているか否かを検知するために、ＡＤＦの取り付け高さが、プラテン（第１のプラテン）に対して均一になっているか否かを検知するために、四隅に設けるようにすることも可能である。
【００１４】
ところで、通常、前記誘電体は前記原稿搬送装置側に設けられ、前記誘導型近接センサは前記設置基準部側に設けるようにするが、場合によっては、前記誘電体を前記設置基準部側に設け前記誘導型近接センサを記原稿搬送装置側に設けるようにしても良い。
【００１５】
ここで、前記誘導型近接センサは、内部にコイルを有し、当該コイルに所定の一又は複数の周波数の信号を印加し、当該印加信号の波形の歪みと信号レベルを検出することにより前記誘導体との前記近接関係を検出するようにする。そして、近接位置が予め設定した所定範囲であると検知された場合には、そのまま装置の使用を継続し、当該所定範囲を超えた場合には、誘導型近接センサの信号レベルを見ながらＡＤＦが画像読取装置の上面（プラテン面）に対して平行且つ均一になるように高さ調整すれば良いのである。
【００１６】
ところで、前記誘導体は、強磁性材に限らず、反磁性材、非磁性材又はこれらの複合材料により構成することが可能である。
【発明の効果】
【００１７】
このように、本画像読取装置においては、ＡＤＦ又は前記設置基準部の何れか一方の１又は複数の箇所に配置された誘導体を、何れかの他方に設け、ＡＤＦが閉じられた時に、例えば光学ユニットの上の誘導型近接センサの誘導エリアに近接する位置に誘導体を設け、ＡＤＦが閉められた状態で誘導型近接センサの誘導量がほぼ等しい誘導量になるか否かにより、ＡＤＦが画像読取装置の上面（プラテン面）に対して平行且つ接触した状態に正しく取り付けられているかを何の作業を行うことなく検知することができ、且つ、ＡＤＦの画像読取装置に対する設置位置に違いが生じていると検知された場合には、ＡＤＦの高さを調整して誘導型近接センサの誘導量の検出値が所定範囲内に収まるようにするだけで調整作業を正確に且つ短時間で終えることを可能としたのである。
【図面の簡単な説明】
【００１８】
【図１】本発明の一実施形態に係る画像読取装置の要部を外観斜視図で示す。
【図２】本発明の一実施形態に係る画像読取装置における光学ユニットの構成を拡大断面図で示す。
【図３】画像読取装置の主要部の構成を概略的に説明する側面図を示す。
【図４】画像読取装置の主要部の構成を概略的に説明する平面図を示す。
【図５】本画像読取装置における誘導型近接センサの誘導電流値と、そのときの当該センサから誘電体までの距離との関係図を示す。
【図６】光学ユニットの上面を設置基準部とし、原稿搬送装置Ｂを閉止した状態を長手方向の端面から説明する図を示す。
【図７】第２プラテンの上面を設置基準部とし、原稿搬送装置Ｂを閉止した状態を長手方向の端面から説明する図を示す。
【発明を実施するための形態】
【００１９】
図１は、本発明に係る画像読取装置１の要部を側面図で示している。図１に示すように、画像読取装置１は、画像読取装置本体Ａと、原稿を自動搬送する原稿搬送装置Ｂ（ＡＤＦ）とで構成されており、原稿搬送装置Ｂは画像読取装置本体Ａに図示しない一対のヒンジを介して取り付けられて、このヒンジは画像読取装置本体Ａの上面に対して原稿搬送装置Ｂを開閉自在に支持している。
【００２０】
画像読取装置本体Ａは、装置ハウジング１Ａに第１プラテン２と、第２プラテン３とを備えて並設して配置している。この第１及び第２プラテン２、３は、ガラスなどの透明素材で形成され、装置ハウジング１Ａの天部に固設されている。そして、第１プラテン２は、原稿搬送装置Ｂを開放して手置きセットすることが可能な原稿の最大寸法サイズに設定されて、第２プラテン３は所定速度で移動する原稿を読み取るようにその使用可能な原稿の最大幅サイズに設定されている。
【００２１】
原稿搬送装置Ｂは、第１及び第２プラテン２、３を覆うようにその上方に配置され、原稿シートを積載収納する給紙スタッカ２０と、この給紙スタッカ２０に積載されているシートを１枚ずつ分離給送する繰出ローラ２１と、繰出ローラ２１で繰り出された原稿を給紙する給紙ローラ２２と、分離給送されたシートの先端をスキュー修正するレジストローラ対２３と、第２プラテン３に原稿シートを給送する搬送ローラ対２４と、その下流側に配置される搬出ローラ対２５と、搬出ローラ対２５から排出される原稿をスタックする排紙スタッカ２６と、を備えている。そして、排紙スタッカ２６の底部には第１プラテン２の上に載置する原稿シートを押圧支持するプラテンカバー２７が設けられている。
【００２２】
装置ハウジング１Ａの内部には画像読取機構４を内蔵しており、画像読取機構４は、第１プラテン２と第２プラテン３との間を水平方向に位置移動が可能なライン状の光学ユニット６を備えている。光学ユニット６は、相対的に移動する原稿を２通りの読み取りモードで読み取る。一つは、第１プラテン２上に固定された原稿に対し光学ユニット６が移動して読み取る原稿固定読取モード（フラットベッドモード）、もう一つは、第２プラテン３の直下で停止している光学ユニット６の読み取り面上を原稿が移動して読み取る原稿流し読取モード（シートスルーモード）である。
【００２３】
原稿固定読取モードの場合は、操作者が原稿読取ユニットＡの装置ハウジング１Ａに開閉自在に据え付けられた原稿搬送装置Ｂを上方に引き上げ、第１プラテン２を開放した状態で原稿を載置した後に閉止し、原稿をプラテンカバー２７で抑える。そして、この原稿の下方を、光学ユニット６が、キャリッジ移動機構により副走査方向（矢印ａ方向）に移動することで、読み取りが行われる。一方、原稿流し読取モードの場合は、原稿搬送装置Ｂによって第２プラテン３上に搬送されてくる原稿シートを読み取るものである。
【００２４】
図２は光学ユニット６の構成を拡大図で示しており、光学ユニット６は、プラテン２の面と平行に移動する第１読取ユニット６Ａと第２読取ユニット６Ｂとで構成される。そして、これらの第１読取ユニット６Ａ及び第２読取ユニット６Ｂは、その両端部がそれぞれ上下２段のガイドレール１２ａ、１２ｂによって支持されて、副走査方向ａに沿って案内される。ガイドレール１２ａ、１２ｂ内には第１読取ユニット６Ａ及び第２読取ユニット６Ｂを移動させるためのワイヤ駆動機構（図示せず）が配設されている。
【００２５】
第１読取ユニット６Ａは、原稿に光を照射するための光源９と、原稿からの反射光を反射して第２読取ユニット６Ｂに導くための第１反射ミラー１０とをユニットフレーム１１内に備える。また、第２読取ユニット６Ｂは、第１反射ミラー１０からの反射光を結像ユニット１３に導くための第２反射ミラー１７ａ及び第３反射ミラー１７ｂをユニットフレーム１８内に上下に備える。
【００２６】
結像ユニット１３は、原稿からの反射光を電気信号に変換するもので、第２読取ユニット６Ｂからの反射光を集束する集束レンズ７と、この集束光を受光して光電変換するＣＣＤなどの光電変換素子を備えた光電変換装置８と、光電変換装置８からのアナログ信号をデジタル信号に変換するＡ／Ｄ変更処理などを行うための制御基板１６を備えている。したがって、反射光は、光電変換装置８で光電変換されてアナログ信号となり、さらにデジタル信号に変換された後、画像データとして、データ転送ケーブルによって、例えば複写機等の画像形成装置の画像処理部（図示せず）に送信される。そして、第１読取ユニット６Ａは、第２読取ユニット６Ｂの２倍のスピードで副走査するように、上記ワイヤ駆動機構は設定されている。このように、第１読取ユニット６Ａの移動範囲に対して、第２読取ユニット６Ｂの移動範囲をその半分にすることで、光学ユニット６は、副走査方向ａに移動しながら原稿画像を主走査方向（図４で図示の矢印ｂ方向）の１ライン毎に順次読み取ることができる。
【００２７】
本例では、光学ユニット６を第１読取ユニット６Ａ及び第２読取ユニット６Ｂに分割し、反射光の光路を長く取って焦点深度を深くすることで、原稿がプラテン２、３に密着していなくてもピントが合いやすい縮小光学系の構造を採用している。光学ユニット６を、このように分割せずとも、原稿からの反射光を一つのフレーム内に配置した多数のミラー群によって、光束の反射・集約を繰り返しながら光路長を長くして集光レンズ７に導く構成でもよい。しかし、光路長を長くするには、このような光学縮小読取方式に限らず、原稿からの反射光を直下にある撮像素子で受けて結像させる密着型イメージセンサ方式であってもよい。
【００２８】
第１読取ユニット６Ａのユニットフレーム１１には、図４に示すように原稿の読取ライン幅に応じた読取開口１９が主走査方向に沿って長手形状に形成され、光源９は、この読取開口１９に沿って配置されライン状の読取光を原稿に照射し、それによる原稿からの反射光は、第１反射ミラー１０で反射され、第２反射ミラー１７ａ及び第３反射ミラー１７ｂで折り返されて、光電変換装置８で受光されるようになっている。
【００２９】
上記構成の画像読取装置１においては、製造時の組み立て時においては、画像読取装置本体Ａに原稿搬送装置Ｂを取り付ける際、原稿搬送装置Ｂを支持するヒンジの取付調整が不完全であると、第２のプラテン３と原稿搬送装置Ｂとの間の高さ方向の距離が、主走査方向での一方の端部と他方の端部とで相違していることがある。また、組み立て時にはこの両端でのこの距離が一定であっても、原稿固定読取モードで原稿を読み取るのに、画像読取装置本体Ａと原稿搬送装置Ｂの開閉が繰り返されると、経年変化によってヒンジ内に内蔵された図示しないバネの定数が変化し、両端での高さ方向の距離に差を生じてくることがある。このような両端での互い違いが発生すると、原稿搬送装置Ｂによって第２プラテン３上に搬送されてくる原稿シートを読み取る原稿流し読取モードのときに、第２プラテン３に対する原稿シートの接触状態が主走査方向で不均一になり、原稿が斜向する等の搬送不良が発生してジャムしたり、また、原稿のジャムが生じないまでも当該原稿の読取データにおいて画像の歪みやピントボケ等の読取不良が発生する不具合を生じる。
【００３０】
そこで、画像読取装置本体Ａ又は原稿搬送装置Ｂの一方に磁気に感応する誘導体を配置し、この画像読取装置本体Ａ又は原稿搬送装置Ｂの他方に誘導体に磁気を印加する誘導型近接センサを設けて、誘導型近接センサの出力に基づいて、原稿搬送装置Ｂが適切な状態で閉められているかを検知している。以下、その構成について、具体的に説明する。
【００３１】
図３は、画像読取装置１を側面図により概略的に示し、図４は、原稿搬送装置Ｂを取り除いた状態での画像読取装置１を平面図で概略的に示している。そして、これらの図においては、第２読取ユニット６Ｂ及び光電変換装置８については図示を省略している。
【００３２】
第１読取ユニット６Ａの上面で且つ読取開口部１９から離した両端に、誘導型近接センサ１４を配置する。そして、原稿搬送装置Ｂが、画像読取装置本体Ａに対して閉止されたときに、それぞれ誘導型近接センサ１４が誘起する磁界の範囲内に収まるように、原稿搬送装置Ｂの画像読取装置本体Ａと対向する面（背面）には磁気的な誘導体１５を設けている。誘導体１５は、第２のプラテン３及び読取開口部１９と重ならない位置に配置される。この場合、誘導型近接センサ１４を原稿搬送装置Ｂの背面、誘導体１５を第１読取ユニット６Ａの上面に配置してもよい。
【００３３】
誘導型近接センサ１４又は誘導体１５の配置は、光学ユニット６（本例では第１読取ユニット６Ａ）に限定されるものではなく、画像読取装置本体Ａ側にあって、原稿搬送装置Ｂの閉止を判断するときの基準となり得る場所を設置基準部としている。そして、本例では、第１読取ユニット６Ａの上面を設置基準部として、誘導型近接センサを配置しているが、誘導体１５を取り付けてもよい。
【００３４】
誘導型近接センサ１４は、内部にコイルを有し、当該コイルに所定の一又は複数の周波数の信号を印加し、当該印加信号の波形の歪みと信号レベルを検出することにより誘導体１５との離隔距離、すなわち原稿搬送装置Ｂと第１読取ユニット６Ａとの間の距離を検出する。
【００３５】
詳述すれば、誘導型近接センサ１４がコイルに発生している磁界中に金属ターゲットなどの誘導体１５が存在していると、この磁界によって誘導体１５の表面に循環電流（渦電流）が生じる。渦電流は、コイルと誘導体１５との間の距離、サイズ、組成に応じて異なるが、誘導型近接センサ１４によって生じた元の磁界とは逆の磁界を発生させる。そして、誘導体１５と誘導型近接センサ１４のコイルとの誘導性結合は、その間の距離に依存して、渦電流の抵抗とインダクタンスは、距離に依存した抵抗成分および誘導成分として誘導型近接センサ１４に発生する誘導電流値に現れる。したがって、誘導型近接センサ１４から出力される誘導電流の値に基づいて、誘導型近接センサ１４と誘導体１５との間の距離を検知している。図５は、誘導型近接センサ１４が誘導体１５を検知することで発生する誘導電流値と、そのときの誘導体１５までの高さ方向での距離の関係を示している。
【００３６】
この場合、誘導体１５には、強磁性体材料が用いられるが、誘導型近接センサ１４が誘起する磁界に歪みを生じさせるのが目的であるから、反磁性体や常磁性の材料又はこれらの複合材料により構成されてもよい。そして、誘導型近接センサ１４は、回路基板やフラットケーブルでのコイルのプリントパターン等を薄型形状で形成することで、第１読取ユニット６Ａから大きく飛び出さない構造とするのが好ましい。
【００３７】
図６は、原稿搬送装置Ｂを閉止した状態を長手方向での端面側から示しており、この図６の例では、原稿搬送装置Ｂと光学ユニット６の第１読取ユニット６Ａとの間の距離が、主走査方向での両端での図示の左側寸法ｈ１と右側寸法ｈ２とで相違している。このような場合、それぞれの誘導型近接センサ１４が出力する誘導電流値が相違するため、両方の電流値の差を演算することにより、両端での距離のずれ量を判別することができる。
【００３８】
したがって、両方の誘導型近接センサ１４が出力する誘導電流が同じ電流値を示すまで、原稿搬送装置Ｂの画像読取装置本体Ａからの高さ位置を機構的に調整する。このとき、それぞれの誘導型近接センサ１４による誘導電流値の差が、予め設定している所定数値以内になった時に、第１読取ユニット６Ａの光源９を点滅させるなどの方法で、原稿搬送装置Ｂの主走査方向での両端の高さが平行状態となったことを表示するとよい。例えば、差が０．１ｍｍ未満の時は１回の点灯で調整の終了を表示し、０．１ｍｍ以上０．２ｍｍ未満の時は２回の点灯、０．２ｍｍ以上の時は３回の点灯を行うなどして、要調整の程度を詳しく表示すれば効果的である。
【００３９】
また、両端での距離が略等しいとき、何れか一方の誘導型近接センサ１４の誘導電流値によって、第２のプラテン３と第１読取ユニット６Ａとの間の距離が適切であるか否かの判定も行うことができる。この場合、原稿搬送装置Ｂから第２のプラテン３に搬送されてくる原稿を適切に読み取ることができる状態に原稿搬送装置Ｂが閉止されたときの、誘導型近接センサ１４の誘導電流値を予めメモリに記憶しておき、その後、原稿読み取り動作のために原稿搬送装置Ｂを閉止したとき、誘導型近接センサ１４が検出した誘導電流値と記憶した誘導電流値との比較演算を行い、誘導電流値が許容範囲を超えてメモリの記憶値から変動しているとき警報信号を出力するよう構成する。これにより、原稿搬送装置Ｂと第２のプラテン３との間の距離が小さくなり過ぎて、原稿搬送装置Ｂから送られてくる原稿シートがジャムしたり、或いは逆に距離が大きくなり過ぎて、原稿シートが第２のプラテン３から浮いた状態で搬送されてきたときに、読み取り画像の倍率が小さくなる不具合を未然に防止することができる。
【００４０】
上記した画像読取装置１は、原稿搬送装置Ｂの背面に誘導体１５を取り付けて、第１読取ユニット６Ａの上面を設置基準部にして誘導型近接センサ１４を配置することで、設置基準部に対する原稿搬送装置Ｂの距離を検知している。これにより、原稿搬送装置Ｂを閉止したときに主走査方向での両端での第２のプラテン３までの距離が略一定であるかの判定を行うことができる。
【００４１】
上記実施例では、第１読取ユニット６Ａの上面を設置基準部として誘導型近接センサ１４を配置する説明を行ったが、第２のプラテン３の上面を設置基準部としてもよい。図７を用いて、その構成について、具体的に説明する。
【００４２】
図７は、原稿搬送装置Ｂを閉止した状態を長手方向での端面側から示しており、この図７の例では、原稿搬送装置Ｂと第２のプラテン３との間の距離が、主走査方向での両端での図示の左側寸法ｈ１と右側寸法ｈ２とで相違している。このような場合、それぞれの誘導型近接センサ１４が出力する誘導電流値が相違するため、両方の電流値の差を演算することにより、両端での距離のずれ量を判別することができる。
【００４３】
したがって、両方の誘導型近接センサ１４が出力する誘導電流が同じ電流値を示すまで、原稿搬送装置Ｂの画像読取装置本体Ａからの高さ位置を機構的に調整する。このとき、それぞれの誘導型近接センサ１４による誘導電流値の差が、予め設定している所定数値以内になった時に、第１読取ユニット６Ａの光源９を点滅させるなどの方法で、原稿搬送装置Ｂの主走査方向での両端の高さが平行状態となったことを表示するとよい。例えば、差が０．１ｍｍ未満の時は１回の点灯で調整の終了を表示し、０．１ｍｍ以上０．２ｍｍ未満の時は２回の点灯、０．２ｍｍ以上の時は３回の点灯を行うなどして、要調整の程度を詳しく表示すれば効果的である。
【００４４】
また、両端での距離が略等しいとき、何れか一方の誘導型近接センサ１４の誘導電流値によって、原稿搬送装置Ｂと第２のプラテン３との間の距離が適切であるか否かの判定も行うことができる。
【００４５】
この場合、原稿搬送装置Ｂから第２のプラテン３に搬送されてくる原稿を適切に読み取ることができる状態に原稿搬送装置Ｂが閉止されたときの、誘導型近接センサ１４の誘導電流値を予めメモリに記憶しておき、その後、原稿読み取り動作のために原稿搬送装置Ｂを閉止したとき、誘導型近接センサ１４が検出した誘導電流値と記憶した誘導電流値との比較演算を行い、誘導電流値が許容範囲を超えてメモリの記憶値から変動しているとき警報信号を出力するよう構成する。
【００４６】
これにより、原稿搬送装置Ｂと第２のプラテン３との間の距離が小さくなり過ぎて、原稿搬送装置Ｂから送られてくる原稿シートがジャムしたり、或いは逆に距離が大きくなり過ぎて、原稿シートが第２のプラテン３から浮いた状態で搬送されてきたときに、読み取り画像の倍率が小さくなる不具合を未然に防止することができる。
【産業上の利用可能性】
【００４７】
本発明は、ＡＤＦがプラテン面に対して平行且つ接触した状態に正しく取り付けられているか否かを容易に自動検知する画像読取装置に関し、産業上の利用可能性を有する。
【符号の説明】
【００４８】
１    画像読取装置
６    光学ユニット
１４  誘導型近接センサ
１５  誘導体
Ａ    画像読取装置本体
Ｂ    原稿搬送装置
【図１】
2016144029.tif 000003
【図２】
2016144029.tif 000004
【図３】
2016144029.tif 000005
【図４】
2016144029.tif 000006
【図５】
2016144029.tif 000007
【図６】
2016144029.tif 000008
【図７】
2016144029.tif 000009